(57)【要約】【課題】カレンダー機能以外の他の機能を付加することにより更なる利用促進を図ることが可能な卓上カレンダーを提供する。【解決手段】金銭収納箱付き卓上カレンダー１は、表面に月日や曜日等の暦情報２１が記載されている複数枚のカレンダー用紙２と、断面二等辺三角形状を有しその上端部にカレンダー用紙２の上辺部が綴じ具５により綴じられているスタンド部３とを有する。スタンド部３は、それぞれ四角形状を有する前板３１、後板３２及び底板３３と、それぞれ三角形状を有する左右の側板３４Ｒ，３４Ｌとを備える三角形箱型とし、この三角形箱にお金を入れる投入口４が設けられて募金箱、貯金箱、社会貢献貯金箱、集金箱等の金銭収納箱としても構成される。【選択図】図１
2018062089.tif 000002
【特許請求の範囲】
【請求項１】
表面に月日や曜日等の暦情報が記載されている複数枚のカレンダー用紙と、
断面二等辺三角形状を有しその上端部にカレンダー用紙の上辺部が綴じ具により綴じられているスタンド部とを有し、
スタンド部は、それぞれ四角形状を有する前板、後板及び底板と、それぞれ三角形状を有する左右の側板とを備える三角形箱型とし、この三角形箱にお金を入れる投入口が設けられて募金箱、貯金箱、社会貢献貯金箱、集金箱等の金銭収納箱としても構成される金銭収納箱付き卓上カレンダー。
【請求項２】
請求項１に記載の金銭収納箱付き卓上カレンダーにおいて、
上記スタンド部は、
一枚の厚手シートよりなり、
四角形状の前板と、
前板の上辺に連設されて前板の裏側に配置される四角形状の後板と、
前板の下辺に連設されて後板の下辺と連結されるか、又は後板の下辺に連設されて前板の下辺に連結される四角形状の底板と、
前板の左右の側辺のそれぞれに連設されて後板の左右の側辺のそれぞれに連結されるか、又は後板の左右の側辺のそれぞれに連設されて前板の左右の側辺のそれぞれに連結される左右の三角形状の側板と、
底板の左右の側辺のそれぞれに連設されて先端部が側板の下部に設ける差込口に差し込まれるか、又は左右の側板の下辺にそれぞれ連設されて先端部が底板の左右の端部に設ける差込口に差し込まれる左右の差込片部とを備える金銭収納箱付き卓上カレンダー。
【請求項３】
請求項１又は２に記載の金銭収納箱付き卓上カレンダーにおいて、
上記スタンド部は、カレンダー用紙よりも横長に形成され、カレンダー用紙が左寄り側又は右寄り側に配置されて外部に露出する前板部分にお金の投入口が設けられている金銭収納箱付き卓上カレンダー。
【請求項４】
請求項１〜３のいずれか１項に記載の金銭収納箱付き卓上カレンダーにおいて、
上記スタンド部は、底板及び左右の側板に折り曲げ線が形成され、折り曲げ線に沿って前板と後板とが重なり合うように折り畳み可能に構成されている金銭収納箱付き卓上カレンダー。
【発明の詳細な説明】
【技術分野】
【０００１】
本発明は、募金箱、貯金箱、社会貢献貯金箱、集金箱等のような金銭収納箱付き卓上カレンダーに関する。
【背景技術】
【０００２】
従来の卓上カレンダーは、表面に月日や曜日等の暦情報が記載されているカレンダー用紙を複数枚積層させてその上辺相互を断面二等辺三角形状の三角筒からなるスタンド部の上端に綴じ具によって綴じ込み、最表面に位置している当月分のカレンダー用紙を上方へ回動させて捲ると次月分のカレンダー用紙が現れるように構成されている。この卓上カレンダーは、個々人の机や施設の受付等のカウンターの卓上に起立させて手軽に年月日や曜日を確認するために使用される。また、年月日や曜日等を知るカレンダー機能だけでなく、カレンダー用紙にポップアップする装飾を設けて室内装飾品としても魅力があり商品価値を高めた卓上カレンダーが知られている（特許文献１）。
【先行技術文献】
【特許文献】
【０００３】
【特許文献１】特許第４６１２０８０号公報
【発明の概要】
【発明が解決しようとする課題】
【０００４】
このように、卓上カレンダーにおいては、カレンダー機能以外に他の機能を付加して商品価値を高めて更なる利用を促進することが望まれている。とりわけ、スタンド部は、所定の空間を専有するが、カレンダー用紙を支持する以外に利用されておらず工夫の余地がある。この場合、例えば、カレンダー機能や卓上に載置して使用される使用態様等とも関連するような他の機能を付加することが考えられる。
【０００５】
本発明は、以上の事情に鑑みてなされたものであり、カレンダー機能以外の他の機能を付加することにより更なる利用促進を図ることが可能な卓上カレンダーを提供することを目的とする。
【課題を解決するための手段】
【０００６】
本発明に係る金銭収納箱付き卓上カレンダーは、
表面に月日や曜日等の暦情報が記載されている複数枚のカレンダー用紙と、
断面二等辺三角形状を有しその上端部にカレンダー用紙の上辺部が綴じ具により綴じられているスタンド部とを有し、
スタンド部は、それぞれ四角形状を有する前板、後板及び底板と、それぞれ三角形状を有する左右の側板とを備える三角形箱型とし、この三角形箱にお金を入れる投入口が設けられて募金箱、貯金箱、社会貢献貯金箱、集金箱等の金銭収納箱としても構成されるものである。
【０００７】
これにより、スタンド部を募金箱、貯金箱、社会貢献貯金箱、集金箱等のような金銭収納箱として有効に利用することができる。この場合、カレンダー用紙により期日や曜日等を知ることができるので、金銭収納の目的に対応して、設定日、設定期間、目標日、目標期間、期日、定期日、曜日等を容易に確認することができる。従って、募金、貯金、集金等の目的に対応して期日や曜日等を容易に認識できるから、募金箱、貯金箱、社会貢献貯金箱、集金箱等のような金銭収納箱として金銭を収納するためにも効率的かつ有効に使用することができる。よって、卓上カレンダーとしての商品価値を高めて利用促進につなげることができる。
【発明の効果】
【０００８】
以上のように、本発明に係る金銭収納箱付き卓上カレンダーによれば、スタンド部を金銭収納箱として有効に利用できるので、各種の実用的な金銭収納箱としても使用でき、卓上カレンダーの商品価値を高めて利用促進をさらに図ることができる。
【図面の簡単な説明】
【０００９】
【図１】実施形態の募金箱付き卓上カレンダーの構成を示す斜視図である。
【図２】募金箱付き卓上カレンダーの折り畳み状態を示す平面図である。
【図３】スタンド部を構成する厚手シートを示す平面図である。
【発明を実施するための形態】
【００１０】
以下に、実施形態について添付図面を参照しながら説明する。
図１を参照して、実施形態の卓上カレンダー１は、複数枚のカレンダー用紙２と、これらカレンダー用紙２を綴じ具５により綴じたスタンド部３とを有する。この卓上カレンダー１は、スタンド部３が募金箱にもなっており、募金箱付き卓上カレンダー１を構成するものである。
【００１１】
カレンダー用紙２は、四角形状を有し、適度な厚みを有する丈夫な厚紙（シート）により形成されている。カレンダー用紙２の表面には、月日や曜日等の暦情報２１の印刷が施されている。カレンダー用紙２は、１月から１２月に対応して全部で１２枚有し、１枚ずつ一月毎の暦情報２１が印刷されている。カレンダー用紙２の上辺部には、綴じ具５を挿通させるために複数の綴じ孔５１が設けられている。綴じ具５は、リング部材やらせん部材等の様々な綴じ部材を使用することができ、また、綴じ具５の使用個数も１個以上であればよい。そして、スタンド部３に綴じられた最表面のカレンダー用紙２を上方へ回動させて捲ると、次に現れるカレンダー用紙２の暦情報２１（次月分）を閲覧することができる。なお、１月のカレンダー用紙２の前には、カレンダー用紙２と同サイズの表紙２０（図２参照）を設けることができる。
【００１２】
スタンド部３は、それぞれ四角形状を有した前板３１、後板３２及び底板３３と、三角形状を有した左右の側板３４Ｒ，３４Ｌとを備え、断面二等辺三角形状を有する三角形箱として形成されている。スタンド部３の上端部には、綴じ具５を挿通する複数の綴じ孔５２が設けられ、カレンダー用紙２の上辺部が綴じ具５により綴じ込まれている。これにより、カレンダー用紙２は、スタンド部３により支持され、また、カレンダー用紙２を上方へ回動させることによりスタンド部３の正面側（前板３１側）から背面側（後板３２側）へと移動させることができる。
【００１３】
スタンド部３は、カレンダー用紙２よりも横長に形成され、前板３１側の正面から見てカレンダー用紙２が左端側に寄せて配置されている。そして、カレンダー用紙２を配置しない右側の前板３１部分には、横長孔状のお金の投入口４が設けられている。スタンド部３の前板３１部分におけるお金の投入口４の上部（カレンダー用紙２が配置されない露出部分）には、「募金箱」との表示４１が印刷されており、この表示４１により、スタンド部３が募金箱になっていることが明記される。なお、投入口４の下部の前板３１部分（カレンダー用紙２が配置されない露出部分）には、募金の目的、活動期間等の募金情報を印刷することができ、また、商品、企業等の広告、その他各種の情報をも印刷することができる。また、これら各種情報は、カレンダー用紙２やスタンド部３の外観される表面に表示することができる。また、カレンダー用紙２は、スタンド部３の正面の左端側に寄せて配置することだけでなく、中央、右端側等のように任意の位置に配置することができ、また、カレンダー用紙２は、スタンド部３の正面に略全面的に配置される大きさであってもよい。また、投入口４もスタンド部３の任意の位置に設けることができ、また、カレンダー用紙２を貫通させて投入口４を設ける構成であってもよい。
【００１４】
また、スタンド部３は、底板３３、底板３３の左右の差込片部３５Ｒ，３５Ｌ及び左右の側板３４Ｒ，３４Ｌには、折り曲げ線６０ａ，６０ｂ，６０ｃが形成されているので、図２に示すように、折り曲げ線６０ａ，６０ｂ，６０ｃに沿って底板３３、差込片部３５Ｒ，３５Ｌ及び側板３４Ｒ，３４Ｌを折り曲げて前板３１と後板３２とが重なり合うように折り畳むことができる。これにより、卓上カレンダー１や募金箱として使用する前の保管、流通等の際には、募金箱付き卓上カレンダー１を折り畳み状態にして嵩張らないようにすることができる。
【００１５】
スタンド部３は、図３に示すように、一枚の厚手シート３０を組み立てて形成されている。厚手シート３０は、適度な厚みを有する丈夫な厚紙やプラスチックシート等から形成される。この厚手シート３０は、四角形状の前板３１と、前板３１の上辺に折り曲げ線６１ａを介して連設される四角形状の後板３２と、前板３１の下辺に折り曲げ線６１ｂを介して連設される四角形状の底板３３と、前板３１の左右の側辺に折り曲げ線６１ｃ，６１ｄを介してそれぞれ連設される三角形状の左右の側板３４Ｒ，３４Ｌと、底板３３の左右の側辺にそれぞれ折り曲げ線６１ｅ，６１ｆを介して連設される台形状の左右の差込片部３５Ｒ，３５Ｌとを備えている。
【００１６】
前板３１と後板３２とには、上辺に沿って左寄り側に綴じ具５を通す綴じ孔５２が複数設けられている。前板３１のカレンダー用紙２を配置しない部分に、横長状のお金の投入口４が設けられている。底板３３において前板３１と連設しない側の長辺に折り曲げ線３３ａを介してのり代３３１が連設されている。この底板３３ののり代３３１が後板３２の内側面の下端部に下辺に沿って接合されることにより、底板３３が後板３２の下辺と結合される。左右の側板３４Ｒ，３４Ｌにおいて前板３１と連設しない側の三角形状の斜辺に折り曲げ線３４ａ，３４ｂを介してのり代３４１Ｒ，３４１Ｌが連設されている。この側板３４Ｒ，３４Ｌののり代３４１Ｒ，３４１Ｌが後板３２の内側面の側端部に側辺に沿って接合されることにより、側板３４Ｒ，３４Ｌが後板３２の側辺に結合される。なお、各のり代３３１，３４１Ｒ，３４１Ｌの接合には、両面テープやのり付け等の各種の接合方法により行うことができる。
【００１７】
また、左右の側板３４Ｒ，３４Ｌには、三角形状の底辺付近に横長孔状の差込口３８Ｒ，３８Ｌが設けられている。底板３３に連設する左右の差込片部３５Ｒ，３５Ｌには、台形状の斜辺に切り込み３６が設けられ、切り込み３６より先端側が差込頭部３７Ｒ，３７Ｌとなっている。この差込片部３５Ｒ，３５Ｌの先端の差込頭部３７Ｒ，３７Ｌが側板３４Ｒ，３４Ｌの差込口３８Ｒ，３８Ｌに外側から差し込まれて保持される。差込片部３５Ｒ，３５Ｌの差込保持により、底板３３と左右の側板３４Ｒ，３４Ｌとの間に隙間が形成されることがないようにすることができ、また、募金箱となるスタンド部３が底部分で簡単に開けられないようにすることができる。なお、差込片部３５Ｒ，３５Ｌの差込頭部３７Ｒ，３７Ｌは、切り込み３６によって差込口３８Ｒ，３８Ｌと係合して差込状態が保持されるが、差込片部３５Ｒ，３５Ｌと側板３４Ｒ，３４Ｌとに跨ってシール等を貼り付けることにより、差込片部３５Ｒ，３５Ｌの差込解除を行い難くして募金箱となるスタンド部３が開けられないようにすることもできる。
【００１８】
なお、厚手シート３０は、上記構成に限定されるものではない。例えば、左右の側板３４Ｒ，３４Ｌは、後板３２側に連設されて前板３１に接合されるようにしてもよい。また、左右の差込片部３５Ｒ，３５Ｌは、左右の側板３４Ｒ，３４Ｌの三角形の底辺にそれぞれ連設されるとともに、差込頭部の差込口３８を底板３３の左右端部にそれぞれ設けるようにしてもよい。
【００１９】
以上のように、実施形態の募金箱付き卓上カレンダー１によれば、カレンダーとしての使用だけでなく募金箱としても使用することができるから、卓上カレンダーの商品価値を高めることができる。すなわち、卓上カレンダーは、個々人の机や会議室等の机、施設の受付等のカウンター等のような各種の場所に起立させることにより、月日や曜日等を確認（カレンダー機能）するために使用されている。従って、例えば、この募金箱付き卓上カレンダー１を施設の受付等のカウンターに置いておくと、多くの人の目に触れることとなり、また、募金活動の設定期間や設定日等もカレンダー用紙２にて日付や曜日等を容易に確認することができる。よって、多くの人に募金活動に参加してもらうことができ、募金活動を円滑に進めることができる。スタンド部３やカレンダー用紙２に募金活動を応援等する商品や企業等を表示することにより、その商品や企業等の宣伝広告も行うことができる。また、これまで募金箱を設置していた場所に、この募金箱付き卓上カレンダー１を設置することにより、カレンダーとしても使用できるので、卓上カレンダーの利用促進にもつながる。
【００２０】
なお、本発明は、上記実施形態に限定されず、本発明の要旨の範囲内で各種の変更を施すことが可能である。
例えば、スタンド部３は、募金箱に限らず、貯金箱、社会貢献貯金箱、集金箱等の各種の金銭収納箱として使用することができる。この場合でも、カレンダー用紙２で日付等を確認、管理しつつお金を投入、収納することができ、便利であり、また卓上カレンダーの利用促進にもなる。
【符号の説明】
【００２１】
１  募金箱付き卓上カレンダー
２  カレンダー用紙
３  スタンド部
４  投入口
５  綴じ具
２０  表紙
２１  暦情報
３０  厚手シート
３１  前板
３２  後板
３３  底板
３３ａ，３４ａ，３４ｂ  折り曲げ線
３４Ｒ，３４Ｌ  側板
３５Ｒ，３５Ｌ  差込片部
３６  切り込み
３７Ｒ，３７Ｌ  差込頭部
３８Ｒ，３８Ｌ  差込口
４１  表示「募金箱」
５１  綴じ孔（カレンダー用紙側）
５２  綴じ孔（スタンド部側）
６０ａ，６０ｂ，６０ｃ  折り曲げ線（折り畳み用）
６１ａ，６１ｂ，６１ｃ，６１ｄ，６１ｅ，６１ｆ  折り曲げ線
３３１  のり代（底板側）
３４１Ｒ，３４１Ｌ  のり代（側板側）
【図１】
2018062089.tif 000003
【図２】
2018062089.tif 000004
【図３】
2018062089.tif 000005